(57)【要約】【課題】長期に亘って鳥類の忌避効果を発揮するとともに、磁力の低下が起こりにくく、メンテナンスの手間も少なくできる磁性鳥害防止システムを提供する。【解決手段】磁界発生装置は、鳥類の飛来を感知した場合、電磁石を励起させることで磁界を発生させる。そして、磁界発生装置は、飛来した鳥類が一定時間ＲＦＩＤタグの受信可能圏外に逃避しないと判断した場合には、別の磁界パターンにより電磁石を励起させ、異なる磁界を発生させる。【選択図】      図８
2008148559.tif 000002
【特許請求の範囲】
【請求項１】
鳥類に取り付けられるＲＦＩＤタグと、磁界を発生させる磁界発生装置と、該磁界発生装置と通信可能に接続されている端末装置とを備えて構成される磁性鳥害防止システムであって、
前記磁界発生装置は、
前記ＲＦＩＤタグから送信される信号を受信するＲＦＩＤリーダーと、
磁力を励起する磁力発生手段と、
前記ＲＦＩＤタグから送信される信号に基づいて複数の磁界パターンの中から１つの磁界パターンを選択して該磁界パターンにより前記磁力発生手段を励起させる制御手段と
を備えることを特徴とする磁性鳥害防止システム。
【請求項２】
前記制御手段は、予め設定されている一定の時間、前記鳥類が逃避しないと前記ＲＦＩＤタグから送信される信号に基づいて判断した場合、磁界パターンを変更して該変更された磁界パターンにより前記磁力発生手段を励起させることを特徴とする請求項１に記載の磁性鳥害防止システム。
【請求項３】
前記制御手段は、前記ＲＦＩＤタグの取り付けられている鳥類が逃避したと判断した場合に、前記磁力発生手段から発生させる磁界を非励起状態にすることを特徴とする請求項１又は請求項２に記載の磁性鳥害防止システム。
【請求項４】
前記磁界発生装置は、更に電源としての色素増感型太陽電池を備えることを特徴とする請求項１〜請求項３のうち何れか１項に記載の磁性鳥害防止システム。
【請求項５】
前記磁界発生装置は、筐体の内部に配設されており、該筐体の外周面が前記色素増感型太陽電池の受光面であることを特徴とする請求項４に記載の磁性鳥害防止システム。
【請求項６】
前記磁界パターンは、ネットワークを介して前記端末装置に接続される管理サーバからダウンロード可能であることを特徴とする請求項１〜請求項５のうち何れか１項に記載の磁性鳥害防止システム。
【請求項７】
前記磁界発生装置は、更に爆音を発生させる爆音装置又はロケットを発射させるロケット発射装置、目玉風船装置を備えることを特徴とする請求項１〜請求項６のうち何れか１項に記載の磁性鳥害防止システム。
【発明の詳細な説明】
【技術分野】
【０００１】
本発明は、励起された磁力により鳥類の接近を忌避させる磁性鳥害防止システムに関するものである。
【背景技術】
【０００２】
鳥類は、磁気を敏感に感じる能力があり、８００〜１５００ガウスの強力な磁力により周囲の磁場を乱されることで方向感覚を失うことから、磁力を発する磁石等を忌避することが知られている。ただし、磁力が一定である場合には馴致し、忌避効果が得られにくくなる。この問題を解決すべく、永久磁石を人の顔の形をした反射板に取り付けたり、風力によって永久磁石の取り付けられた反射板を回転させたりすることによって、特異な磁場形成で周辺に複雑な磁気を発散することとなり、野鳥の飛行に重大な影響があるとされている地磁気に乱れを生じさせて忌避効果を発揮する鳥害防止用磁性体が特許文献１に開示されている。
【０００３】
【特許文献１】特開平８−８０１５３号公報
【発明の開示】
【発明が解決しようとする課題】
【０００４】
しかしながら、特許文献１に記載されている技術では、永久磁石であるフェライトマグネットを用いることから、周囲の磁場が大きく変動することはなく、時間の経過等周辺環境により励起される磁力は逓減していく可能性がある。また鉄くずなど磁石に付着する物体が付着した場合に、自然に外れることがなく、人為的に取り除く必要があり、メンテナンスに手間がかかるという難点があった。本発明は、こうした従来技術の問題点に鑑みてなされたものであり、長期に亘って鳥類の忌避効果を発揮するとともに、磁力の低下が起こりにくく、メンテナンスの手間も少なくできる磁性鳥害防止システムを提供することを目的とする。
【課題を解決するための手段】
【０００５】
上記目的を達成するために、本発明の磁性鳥害防止システムは、鳥類に取り付けられるＲＦＩＤタグと、磁界を発生させる磁界発生装置と、該磁界発生装置と通信可能に接続されている端末装置とを備えて構成される磁性鳥害防止システムであって、前記磁界発生装置は、前記ＲＦＩＤタグから送信される信号を受信するＲＦＩＤリーダーと、磁力を励起する磁力発生手段と、前記ＲＦＩＤタグから送信される信号に基づいて複数の磁界パターンの中から１つの磁界パターンを選択して該磁界パターンにより前記磁力発生手段を励起させる制御手段とを備えることを特徴とする。
【０００６】
また、請求項２に記載の発明によれば、請求項１に記載の磁性鳥害防止システムにおいて、前記制御手段は、予め設定されている一定の時間、前記鳥類が逃避しないと前記ＲＦＩＤタグから送信される信号に基づいて判断した場合、磁界パターンを変更して該変更された磁界パターンにより前記磁力発生手段を励起させることを特徴とする。
また、請求項３に記載の発明によれば、請求項１又は請求項２に記載の磁性鳥害防止システムにおいて、前記制御手段は、前記ＲＦＩＤタグの取り付けられている鳥類が逃避したと判断した場合に、前記磁力発生手段から発生させる磁界を非励起状態にすることを特徴とする。
【０００７】
また、請求項４に記載の発明によれば、請求項１〜請求項３のうち何れか１項に記載の磁性鳥害防止システムにおいて、前記磁界発生装置は、更に電源としての色素増感型太陽電池を備えることを特徴とする。
また、請求項５に記載の発明によれば、請求項４に記載の磁性鳥害防止システムにおいて、前記磁界発生装置は、筐体の内部に配設されており、該筐体の外周面が前記色素増感型太陽電池の受光面であることを特徴とする。
【０００８】
また、請求項６に記載の発明によれば、請求項１〜請求項５のうち何れか１項に記載の磁性鳥害防止システムにおいて、前記磁界パターンは、ネットワークを介して前記端末装置に接続される管理サーバからダウンロード可能であることを特徴とする。
また、請求項７に記載の発明によれば、請求項１〜請求項６のうち何れか１項に記載の磁性鳥害防止システムにおいて、前記磁界発生装置は、更に爆音を発生させる爆音装置又はロケットを発射させるロケット発射装置を備えることを特徴とする。
【発明の効果】
【０００９】
本発明の磁性鳥害防止システムによれば、鳥類に取り付けられたＲＦＩＤタグから送信される情報に基づいて磁界を発生させることができ、長期にわたり鳥類の忌避効果の高い磁界を利用者に提供することができる。
【発明を実施するための最良の形態】
【００１０】
以下、本発明を適用した磁性害鳥防止システムの一実施の形態について説明する。
図１に示すように、本磁性鳥害防止システムは、磁界発生装置１１、端末装置１２、管理サーバ１３、ＲＦＩＤタグ１４を備えている。ここで、ＲＦＩＤ（Radio Frequency Identification）とは、微小な無線チップにより人やモノ等を識別・管理する仕組みのことである。また、磁界発生装置１１と端末装置１２とは無線ネットワーク１５で通信可能に接続されている。さらに、端末装置１２と管理サーバ１３とは、ネットワークとしてのインターネット１６で通信可能に接続されている。
【００１１】
図２に示すように、磁界発生装置１１は、鳥類が忌避する強力な磁界を発生させる機能を有しており、ＲＦＩＤリーダー１７、磁力発生手段としての電磁石１８、太陽電池１９、蓄電池２０、スイッチ部２１、Ｂｌｕｅｔｏｏｔｈ送受信機２２、制御手段としての制御部２３を含んで構成されている。
【００１２】
ＲＦＩＤリーダー１７は、ＲＦＩＤタグ１４から送信された信号を受信する機能を有する。電磁石１８は、磁界を発生させる機能を有する。太陽電池１９は、色素増感型の太陽電池であり、磁界発生装置１１全体を動作させるための電源である。色素増感型太陽電池は、シリコン半導体を使わずにヨウ素溶液を介した電気化学的なセル構造を持つのが特徴で、材料が安価であることと、作製に大掛かりな設備を必要としないことから低コストで製造できるという利点を有する。当該色素増感型太陽電池は、透明な導電性ガラス板に二酸化チタン粉末を焼き付け、色素を吸着させた電極と、同じく導電性ガラス板の対極とから構成されている。
【００１３】
蓄電池２０は、太陽電池１９で生起した電気エネルギーを蓄える機能を有する。スイッチ部２１は、電磁石１８を励起、非励起させる機能を有する。Ｂｌｕｅｔｏｏｔｈ送受信機２２は、Ｂｌｕｅｔｏｏｔｈ方式で端末装置１２と無線通信を行う機能を有する。そして、制御部２３は、電磁石１８から発生される磁界の強度や発生頻度等を制御する機能を有する。
【００１４】
図３に示すように、端末装置１２には、磁界パターン解析機能２４及びＢｌｕｅｔｏｏｔｈ送受信機能２５を実現するＣＰＵ（Central Processing Unit）２６と、磁界発生パターンファイル及びデータベース２７が記録されているハードディスク２８とが備えられている。
磁界パターン解析機能２４は、磁界発生装置１１によって受信されたＲＦＩＤタグ１４の情報に基づいて磁界パターンを解析する機能を有する。また、Ｂｌｕｅｔｏｏｔｈ送受信機能は、磁界発生装置１１から送信された飛来した鳥類の情報を受信するとともに、磁界制御情報を磁界発生装置１１に送信する機能を有する。
【００１５】
なお、磁界パターン解析機能２４、Ｂｌｕｅｔｏｏｔｈ送受信機能２５は、実際にはＣＰＵ２６が、それぞれの機能を実現するためのプログラムを実行することによって実現される。ここでは、説明を簡潔にするため、各機能を実現するための機構が端末装置１２に存在するかのように説明する。
データベース２７には、飛来した鳥類を管理するための情報が登録されている。
管理サーバ１３は、インターネット１６を通じて端末装置１２に常に最新の磁気パターンに関する情報が含まれている磁界発生パターンファイルを提供する。すなわち、端末装置１２は、管理サーバ１３から磁界発生パターンファイルをダウンロードすることができる。
【００１６】
ＲＦＩＤタグ１４は、本磁性害鳥防止システムが撃退対象としている鳥類に取り付けられるものである。ＲＦＩＤタグ１４は、数ミリ程度の大きさのＩＣチップで構成されており、網などによって捕獲した鳥類の体内に埋め込ませたり、足や羽、首周りなどに取り付けたりする。また、ＲＦＩＤタグ１４は鳥類が体内に取り込んでも無害であり、かつ体液により破壊されることがないコーティング剤によりコーティングされており、鳥類の体内に取り込まれた場合であっても識別情報を判別できる程度の信号送信出力を持っている。そのため、鳥類の餌場の餌に混入させることも可能であり、こうした方法によって、より警戒心を生起させることなくＲＦＩＤタグ１４を鳥類に取り付けることができる。
【００１７】
次に、磁界発生装置１１について詳述する。
図４に示すように、磁界発生装置１１は５面体の筐体２９で覆われており、当該筐体２９の内部にはＲＦＩＤリーダー１７、蓄電池２０、スイッチ部２１、Ｂｌｕｅｔｏｏｔｈ送受信機２２、制御部２３が配設されている。また、筐体２９の表面には、複数の太陽電池１９が取り付けられている。さらに、筐体２９からは、複数の電磁石１８が立設されている。電磁石１８はコイル状の誘電体であり、その外部には鳥類が足場とすることを避けるためのピン３０が複数取り付けられている。
【００１８】
次に、磁界発生装置１１の回路について説明する。
図５に示すように、回路は、ＲＦＩＤリーダー１７、電磁石１８、太陽電池１９、蓄電池２０、スイッチ部２１としてのスイッチング素子３１、Ｂｌｕｅｔｏｏｔｈ送受信機２２、制御部２３、ダイオード３２で構成されている。
【００１９】
太陽電池１９で発生した電力は、ダイオード３２を通して蓄電池２０に充電される。制御部２３はＢｌｕｅｔｏｏｔｈ送受信機２２で端末装置１２から磁界発生命令に関する信号を受信したときのみ動作する。制御部２３からパルス状の制御信号が出力された場合、スイッチング素子３１は順次、オン・オフを繰り返す。こうしたスイッチング素子３１の動作により、電磁石１８は励磁・無励磁を繰り返して磁界を発生させる。
【００２０】
なお、端末装置１２から磁界発生命令に関する信号に応じて、スイッチング素子３１のオン・オフ速度は変更され、電磁石１８から発生する磁界の強度を変更することが可能となっている。
また、ＲＦＩＤリーダー１７は、鳥類に取り付けられているＲＦＩＤタグ１４から信号を受信する。ＲＦＩＤリーダー１７によって受信された信号は、制御部２３を介してＢｌｕｅｔｏｏｔｈ送受信機から端末装置１２へと送信される。
【００２１】
次に、ＲＦＩＤリーダー１７から端末装置１２へと送信される送信データについて説明する。
図６に示すように、ＲＦＩＤリーダー１７から端末装置１２に送信される送信データ３３は、送信先ＩＤ３４、鳥識別ＩＤ３５、ＲＦＩＤリーダーＩＤ３６、送信日時３７、飛来／逃避区分３７の各情報を含んで構成されている。送信先ＩＤ３４は、送信データ３３の送信先を示す情報である。鳥識別ＩＤ３５は、鳥類に取り付けられたＲＦＩＤタグ１４の識別ＩＤに関する情報である。
【００２２】
ＲＦＩＤリーダーＩＤ３６は、ＲＦＩＤリーダー１７を識別するための情報である。送信日時３７は、ＲＦＩＤタグ１４の取り付けられている鳥類が飛来した日時（ＲＦＩＤタグ１４からの識別情報を受信した日時）を示す情報である。そして、飛来／逃避区分３８は、ＲＦＩＤタグ１４を取り付けられた鳥類が受信可能圏内に飛来したか、あるいは受信可能圏外に逃避したかを認識するための情報である。
【００２３】
次に、データベース２７のデータ構成について説明する。
図７に示すように、データベース２７のテーブル要素には、鳥識別ＩＤ３５、ＲＦＩＤリーダーＩＤ３６、日時３９、通算回数４０、飛来／逃避区分３８、種類４１、馴値４２、励起磁気パターン４３、励起装置４４がある。
【００２４】
次に、磁性害鳥防止システムを用いて鳥類を忌避させる方法について説明する。
磁界発生装置１１は、鳥害の発生している場所や鳥を近寄らせたくない場所付近に設置される。
図８に示すように、磁界発生装置１１は、ＲＦＩＤタグ１４を取り付けられた鳥類が磁界発生装置１１の付近に飛来し、ＲＦＩＤリーダー１７がＲＦＩＤタグ１４の識別情報を受信することで鳥類の飛来を感知する（ステップＳ１）。次に、磁界発生装置１１は、電磁石１８を励起させることで磁界を発生させる（ステップＳ２）。
【００２５】
さらに、磁界発生装置１１は、飛来した鳥類に関する情報を端末装置１２に無線ネットワーク１５で送信フレームに飛来区分を付与して送信する。端末装置１２は、飛来した鳥類に関する情報を受信すると、データベース２７に当該情報を格納する（ステップＳ３）。次に、磁界発生装置１１は、飛来した鳥類がＲＦＩＤタグ１４の受信可能圏外に逃避した場合には（ステップＳ４）、送信フレームに逃避区分を付与して端末装置１２に送信するとともに電磁石１８を非励起させることで磁界の発生を中止する（ステップＳ５）。
【００２６】
一方、ステップＳ４において、磁界発生装置１１は、飛来した鳥類が予め設定されている一定時間ＲＦＩＤタグ１４の受信可能圏外に逃避しないと判断した場合には、無線ネットワーク１５を介して端末装置１２のハードディスク内に記憶されている磁界発生パターンファイルを検索する（ステップＳ６）。そして、データベース２７と照会して馴値４２が基準値以内である磁界発生パターンファイルがハードディスク２８に記憶されていれば（ステップＳ７）、端末装置１２は、該当磁界パターンファイルを磁界発生装置１１に送信する（ステップＳ８）。
【００２７】
磁界発生装置１１は、新規の磁界パターンファイルを受信した場合、当該磁界パターンファイルに含まれている磁界パターン情報に基づいて電磁石１８を励起させることで新しい磁界を発生させる。なお、馴値４２は鳥識別ＩＤ３５、ＲＦＩＤリーダーＩＤ３６、通算飛来回数４０等の要因から決定されて更新される。
【００２８】
一方、ステップＳ７において、ハードディスク２８に有効な磁界パターンファイルが記憶されていない場合には、端末装置１２は、インターネット１６を介して管理サーバ１３から最新の磁界発生パターンファイルを入手するとともに、磁界発生装置１１に最新の磁界パターンファイルを送信する（ステップＳ９）。以上のステップＳ２からステップＳ９までの処理は、撃退対象となる鳥類がＲＦＩＤタグ１４の受信可能圏外に逃避するまで繰り返される。
【００２９】
鳥類がいない場合や、逃避した後は、太陽電池１９から生起した電気エネルギーが蓄電池２０に蓄電される。また鳥類に取り付けられたＲＦＩＤタグ１４が受信可能圏内で落下したり、体内から排出されたりした場合、磁界発生装置１１は磁界パターンを半永久的に更新、励起することになる、鳥類が活動を停止する夜間に逃避区分が「逃避」になっているか否かを判定する。磁界発生装置１１は、夜間に逃避区分が「逃避」になっていない鳥識別ＩＤ３５は対象外と認識して、電磁石１８を非励起させる。
【００３０】
以上説明したとおり、本実施の形態の磁性鳥害防止システムによれば、次のような効果がある。
・鳥の体内または体外に個体識別するためのＲＦＩＤタグ１４を取り付け、磁界発生装置１１を鳥害の発生している場所や近寄らせたくない場所付近に設置する。ＲＦＩＤタグ１４を取り付けられた鳥類がＲＦＩＤリーダー１７付近に飛来すれば、ＲＦＩＤタグ１４から発生する個別識別信号をＲＦＩＤリーダー１７が感知するとともに飛来した個体を識別して、既知の磁界パターンと異なる磁界を発生させることで、長期にわたり忌避効果を生起させることができる。
【００３１】
・鳥にＲＦＩＤタグ１４を取り付けることで害鳥対象の鳥類の個体管理が可能となり、鳥類の行動範囲、行動パターンといった鳥類の生態調査が容易となり、害鳥を防止する方法の改善が期待できる。
・電磁石１８にコイル状の誘電体を用いることで磁力の低下が起こりにくく、また害鳥がＲＦＩＤタグ１４の受信有効範囲から離れた遠隔地に逃避すれば、電磁石１８に電力が供給されなくなり、磁力の励起が停止する。したがって、鉄くず等の磁石に付着する物体を自然に電磁石１８から脱離させることができ、メンテナンスの手間も少なくできる。
【００３２】
なお、上記実施の形態は、以下のように変更して実施してもよい。
・また、鳥類に忌避効果をもたらす装置として、本実施形態では磁界発生装置１１を用いて鳥害を防止しているが、この磁界発生装置１１に加えて、爆音装置やロケット発射装置、目玉風船装置などを用いることが可能である。たとえば、爆音装置の場合には鳥類が飛来し、爆音装置に取り付けられているＲＦＩＤリーダー１７が鳥類に取り付けられているＲＦＩＤタグ１４から送信された信号を受信した場合に、威嚇音を発生させる。この威嚇音についても磁界パターンと同様に、データベース２７に登録されている馴値から判断して適宜威嚇音を変更することで、長期に亘って鳥類を忌避させる効果の高い威嚇音を発生させるようにする。
【００３３】
さらには、これらの鳥害防止システムを複合的に併用してすることも可能である。磁界発生装置１１や爆音装置等を複合的に併用することで、鳥類はさまざまなケースに遭遇することとなるため、磁界や威嚇音、ロケット等に馴れることが難しくなり、より長期に亘って鳥類の忌避効果を発揮させることができる。
・磁界発生装置１１の電源は太陽電池１９に限られることはなく、通常の電池やバッテリ等であってもよい。
【００３４】
・磁界発生装置１１と端末装置１２とを接続する無線ネットワークとしては、Ｂｌｕｅｔｏｏｔｈ方式に限られることはなく、電波方式、赤外線方式等のあらゆる方式を採用することが可能である。
・磁界発生装置１１と端末装置１２とを無線ネットワーク１５で接続する例を挙げて説明したが、有線回線で接続されるものであってもよい。
【図面の簡単な説明】
【００３５】
【図１】本発明の一実施の形態例を示すシステム構成図。
【図２】磁界発生装置の構成図。
【図３】端末装置の構成図。
【図４】磁界発生装置の外観図。
【図５】磁界発生装置の回路図。
【図６】ＲＦＩＤリーダーから送信されるデータの構成図。
【図７】データベースのデータ構成図。
【図８】磁性鳥害防止システムの処理の流れを示すフローチャート。
【符号の説明】
【００３６】
１１…磁界発生装置、１２…端末装置、１３…管理サーバ、１４…ＲＦＩＤタグ、１６…ネットワークとしてのインターネット、１７…ＲＦＩＤリーダー、１８…磁力発生手段としての電磁石、２３…制御手段としての制御部、２９…筐体。
【図１】
2008148559.tif 000003
【図２】
2008148559.tif 000004
【図３】
2008148559.tif 000005
【図４】
2008148559.tif 000006
【図５】
2008148559.tif 000007
【図６】
2008148559.tif 000008
【図７】
2008148559.tif 000009
【図８】
2008148559.tif 000010